(57)【要約】【課題】部品点数の増加を抑えつつ、デジタルテレビ放送の番組の映像信号を、アナログテレビ放送における放送信号に変換して送信することができる変換システムを提供する。【解決手段】  地デジ用アンテナ２００は、地デジ放送の受信に適するようにインピーダンス整合がなされており、地デジ用アンテナ２００と、アナログテレビ放送の視聴が可能なオーディオ４００に接続されているアナログ放送用アンテナ５００とは、近接した状態で配置されている。そして、地デジ放送受信装置１００は、地デジ用アンテナ２００を介して受信した地デジ放送信号から映像信号と音声信号を抽出し、これらの信号をＶＨＦ帯のアナログ放送信号に変換し、変換した信号を、地デジ用アンテナ２００からオーディオ４００に送信する。【選択図】図１
2010239536.tif 000002
【特許請求の範囲】
【請求項１】
デジタルテレビ放送における電波の受信に適するようにインピーダンス整合されたアンテナ部と、該アンテナ部から伝送線路を介してデジタルテレビ放送信号を受信する変換装置とを有する変換システムであって、
前記変換装置は、
前記アンテナ部から受信したデジタルテレビ放送信号から、ユーザにより指定されたデジタルテレビ放送のチャンネルに対応する映像信号と音声信号とを抽出する抽出手段と、
前記抽出手段により抽出された信号を、いずれかのチャンネルに対応する周波数のアナログテレビ放送信号に変換し、該信号を、前記アンテナ部を介して、アナログテレビ放送を視聴するための受信装置に対して送信する変換手段と、
を備えること、
を特徴とする変換システム。
【請求項２】
請求項１に記載の変換システムにおいて、
前記アンテナ部は、
デジタルテレビ放送における電波を受信するためのアンテナ素子と、
前記アンテナ素子にて受信された電波に基づく受信信号のうち、デジタルテレビ放送信号のみを増幅させ、前記変換装置に送信する第一の増幅手段と、
を備えること、
を特徴とする変換システム。
【請求項３】
請求項２に記載の変換システムにおいて、
前記アンテナ部は、前記変換装置からの送信信号のうち、アナログテレビ放送信号のみを増幅させる第二の増幅手段をさらに備えること、
を特徴とする変換システム。
【請求項４】
請求項１から請求項３に記載の変換システムにおいて、
前記アンテナ部は、フィルムアンテナとして構成されていること、
を特徴とする変換システム。
【請求項５】
デジタルテレビ放送における電波の受信に適するようにインピーダンス整合されたアンテナ部から、伝送線路を介してデジタルテレビ放送信号を受信する変換装置であって、
前記アンテナ部から受信したデジタルテレビ放送信号から、ユーザにより指定されたデジタルテレビ放送のチャンネルに対応する映像信号と音声信号とを抽出する抽出手段と、
前記抽出手段により抽出された信号を、いずれかのチャンネルに対応する周波数のアナログテレビ放送信号に変換し、該信号を、前記アンテナ部を介して、アナログテレビ放送を視聴するための受信装置に対して送信する変換手段と、
を備えること、
を特徴とする変換装置。
【発明の詳細な説明】
【技術分野】
【０００１】
本発明は、デジタルテレビ放送を受信して映像信号等を生成し、生成した映像信号等をアナログテレビ放送の放送信号に変換して送信する変換システムに関する。
【背景技術】
【０００２】
２０１１年７月２４日でアナログテレビ放送が終了するため、この日以降は、アナログテレビ放送のみに対応しているアナログテレビにより、テレビ番組を視聴することができなくなってしまう。
【０００３】
ここで、地上デジタルテレビ放送（以後、地デジ放送とも記載）用のチューナをアナログテレビに外付けし、このチューナから出力される映像信号等を、映像端子等を介してアナログテレビに入力し、アナログテレビを用いて地デジ放送の番組を視聴することが提案されている。
【０００４】
また、車載用のアナログテレビには、映像入力端子等（以下、映像端子）が設けられておらず、地デジ放送用のチューナを外付けすることができない機種が多いが、特許文献１には、このようなアナログテレビを用いた地デジ放送の番組の視聴を可能とする変換装置について記載されている。この変換装置は、地上デジ放送を受信して映像信号及び音声信号を生成し、生成した信号をアナログテレビ放送信号に変換して送信する。そして、変換装置から送信されたアナログテレビ放送信号を受信することにより、映像端子が設けられていない車載用のアナログテレビにて、地デジ放送の番組の視聴が可能となる。
【先行技術文献】
【特許文献】
【０００５】
【特許文献１】登録実用新案第３１３６１５４号公報
【発明の概要】
【発明が解決しようとする課題】
【０００６】
しかしながら、特許文献１に記載の変換装置は、地デジ放送を受信するアンテナと、アナログテレビ放送信号を送信するためのアンテナが個別に設けられており、単に地デジ放送を受信して映像信号や音声信号を生成する場合に比べ、部品点数が増加してしまう。
【０００７】
本願発明は上記課題を解決するためになされたものであり、部品点数の増加を抑えつつ、デジタルテレビ放送の番組の映像信号を、アナログテレビ放送における放送信号に変換して送信することができる変換システムを提供することを目的とする。
【課題を解決するための手段】
【０００８】
かかる目的を達成するためになされた請求項１に記載の発明は、
デジタルテレビ放送における電波の受信に適するようにインピーダンス整合されたアンテナ部と、該アンテナ部から伝送線路を介してデジタルテレビ放送信号を受信する変換装置とを有する変換システムであって、
前記変換装置は、
前記アンテナ部から受信したデジタルテレビ放送信号から、ユーザにより指定されたデジタルテレビ放送のチャンネルに対応する映像信号と音声信号とを抽出する抽出手段と、
前記抽出手段により抽出された信号を、いずれかのチャンネルに対応する周波数のアナログテレビ放送信号に変換し、該信号を、前記アンテナ部を介して、アナログテレビ放送を視聴するための受信装置に対して送信する変換手段と、
を備えることを特徴とする。
【０００９】
また、請求項２に記載の発明は、請求項１に記載の変換システムにおいて、前記アンテナ部は、デジタルテレビ放送における電波を受信するためのアンテナ素子と、前記アンテナ素子にて受信された電波に基づく受信信号のうち、デジタルテレビ放送信号のみを増幅させ、前記変換装置に送信する第一の増幅手段とを備えることを特徴とする。
【００１０】
また、請求項３に記載の発明は、請求項２に記載の変換システムにおいて、前記アンテナ部は、前記変換装置からの送信信号のうち、アナログテレビ放送信号のみを増幅させる第二の増幅手段をさらに備えることを特徴とする。
【００１１】
また、請求項４に記載の発明は、請求項１から請求項３に記載の変換システムにおいて、前記アンテナ部は、フィルムアンテナとして構成されていることを特徴とする。
また、請求項５に記載の発明は、デジタルテレビ放送における電波の受信に適するようにインピーダンス整合されたアンテナ部から、伝送線路を介してデジタルテレビ放送信号を受信する変換装置であって、
前記アンテナ部から受信したデジタルテレビ放送信号から、ユーザにより指定されたデジタルテレビ放送のチャンネルに対応する映像信号と音声信号とを抽出する抽出手段と、
前記抽出手段により抽出された信号を、いずれかのチャンネルに対応する周波数のアナログテレビ放送信号に変換し、該信号を、前記アンテナ部を介して、アナログテレビ放送を視聴するための受信装置に対して送信する変換手段と、
を備えることを特徴とする。
【発明の効果】
【００１２】
請求項１に記載の変換システムは、デジタルテレビ放送における電波の受信に適するようにインピーダンス整合されたアンテナ部と、該アンテナ部からデジタルテレビ放送信号を受信する変換装置とを有している。そして、変換装置が備える抽出手段は、アンテナ部を介して受信したデジタルテレビ放送信号から映像信号と音声信号とを抽出し、変換手段は、抽出された映像信号等をアナログテレビ放送信号に変換し、アンテナ部を介してアナログテレビ放送を視聴するための受信装置に対して送信する。尚、受信装置とは、例えば、アナログテレビであっても良い。
【００１３】
したがって、請求項１に記載の変換システムにおけるアンテナ部を、受信装置のアンテナの付近に設置することにより、この受信装置を用いてデジタルテレビ放送を視聴することが可能となる。また、この変換システムでは、デジタルテレビ放送の電波の受信と、変換されたアナログテレビ放送信号の送信とを同じアンテナを用いて行なわれている。このため、部品点数の増加を抑えつつ、デジタルテレビ放送の番組の映像信号等をアナログテレビ放送の放送信号に変換して受信装置に送信することができる。
【００１４】
尚、請求項１に記載の変換システムでは、アンテナ部は、デジタルテレビ放送の電波の受信に適するようにインピーダンス整合がされており、アナログテレビ放送の電波を放射する際には損失が生じてしまう。しかしながら、このアンテナ部が受信装置のアンテナの付近に配置されることにより、受信装置に対して十分な強度のアナログテレビ放送信号の送信が可能となる。また、アンテナ部を介してアナログテレビ放送の電波を放射する際には、伝送線路との接点付近で反射が生じるが、この反射により、アナログテレビ放送に適したインピーダンス整合がされているアンテナを用いる場合に比べ、アンテナ部の付近に存在する導体に対し、より強力な電磁誘導を発生させることができると考えられる。これにより、アンテナ部を受信装置のアンテナの付近に配置した場合には、この電磁誘導により、アナログテレビ放送信号の伝達が助長されると考えられる。
【００１５】
また、テレビ放送の受信用アンテナには、受信感度を向上させるために指向性が設けられている場合がある。このようなアンテナが用いられる場合には、テレビ放送電波の受信状態と、アンテナ部から受信装置のアンテナへの送信状態との両方が良好となるよう、各アンテナの指向性を考慮してこれらのアンテナの向きや位置関係を定める必要がある。つまり、指向性を有するアンテナがアンテナ部や受信装置のアンテナとして用いられている場合には、これらのアンテナの配置態様が制限されてしまうのである。これに対し、請求項１に記載の変換システムによれば、単に、受信装置のアンテナに近接した状態でアンテナ部を配置することにより、変換装置から受信装置に対しての送信状態を良好なものにすることができ、各アンテナの配置に関しての自由度を増加させることができるのである。
【００１６】
また、請求項２に記載の変換システムにおいては、アンテナ部は、デジタルテレビ放送における電波を受信するためのアンテナ素子と、アンテナ素子からの受信信号のうち、デジタルテレビ放送信号のみを増幅させ、変換装置に送信する第一の増幅手段とを備える。
【００１７】
こうすることにより、変換装置におけるデジタルテレビ放送信号の受信状態を、より良好なものとすることができる。
また、請求項３に記載の変換システムにおいては、アンテナ部は、変換装置からの送信信号のうち、アナログテレビ放送信号のみを増幅させる第二の増幅手段をさらに備える。
【００１８】
こうすることにより、変換装置にてアナログテレビ放送信号を増幅して送信する場合に比べ、アナログテレビ放送信号が伝送線路を伝達する際に生じる電磁誘導を抑制することができる。したがって、伝送線路の付近に配置されている装置におけるノイズの発生を抑えることが可能となる。
【００１９】
また、請求項４に記載の変換システムにおいて、アンテナ部は、フィルムアンテナとして構成されている。
こうすることにより、例えば、変換システムが車両に搭載されている場合には、この車両のウインドウにアンテナ部を貼り付けることが可能となる。このため、例えば、この車両に搭載されている受信装置のアンテナがフィルムアンテナとして構成されている場合には、容易に、アンテナ部を受信装置のアンテナに近接した状態で配置することができる。
【００２０】
また、請求項５に記載の変換装置は、デジタルテレビ放送における電波の受信に適するようにインピーダンス整合されたアンテナ部から、伝送線路を介してデジタルテレビ放送信号を受信する。そして、変換装置が備える抽出手段は、アンテナ部を介して受信したデジタルテレビ放送信号から映像信号と音声信号とを抽出し、変換手段は、抽出された映像信号等をアナログテレビ放送信号に変換し、アンテナ部を介してアナログテレビ放送を視聴するための受信装置に対して送信する。
【００２１】
したがって、このような変換装置を使用すれば本発明の変換システムを構築することができ、上述した効果を得ることができる。
【図面の簡単な説明】
【００２２】
【図１】変換システム等の構成を示すブロック図である。
【図２】地デジ用アンテナ等の構成を示すブロック図である。
【図３】芯線側給電端子の構成を示すブロック図である。
【図４】地デジ放送受信装置の変形例の構成を示すブロック図である。
【発明を実施するための形態】
【００２３】
以下、本発明の実施形態について図面を用いて説明する。尚、本発明の実施の形態は、下記の実施形態に何ら限定されることはなく、本発明の技術的範囲に属する限り種々の形態を採りうる。
【００２４】
［構成の説明］
（１）変換システムの構成について
図１の（ａ）は、本実施形態における変換システム１０の構成を示すブロック図である。変換システム１０は車両に搭載されており、この車両には、ＶＨＦ帯，ＵＨＦ帯の電波と、ＡＭ，ＦＭラジオ放送の電波の受信が可能なアナログ放送用アンテナ５００と、該アンテナに接続されており、アナログテレビ放送の視聴やラジオ放送の聴取が可能なオーディオ４００とが搭載されている。また、変換システム１０は、ＵＨＦ帯の電波を受信するための地デジ用アンテナ２００と、地デジ用アンテナ２００に同軸ケーブル３００を介して接続されている地デジ放送受信装置１００とを有している。
【００２５】
尚、地デジ用アンテナ２００と、アナログ放送用アンテナ５００とは、フィルムアンテナとして構成されており、これらのアンテナは互いに近接した状態で配置されている。具体的には、これらのアンテナは、例えば、車両のウインドウに隣り合わせの状態で貼り付けられていても良いし、重ね合わせられた状態で貼り付けられていても良い。
【００２６】
（２）地デジ放送受信装置の構成について
次に、地デジ放送受信装置１００について、図１の（ｂ）に記載されているブロック図を用いて説明する。地デジ放送受信装置１００は、同軸ケーブル３００が接続され、地デジ用アンテナ２００から受信信号が入力されるコネクタ１１０と、ＶＨＦ帯の上限周波数を低域側のカットオフ周波数とすると共に、ＵＨＦ帯の下限周波数を高域側のカットオフ周波数とするダイプレクサ１２０と、ダイプレクサ１２０を通過した高域側の受信信号（地デジ放送信号）を復調し、図示しないリモコン等を介してユーザに指定されたチャンネルに対応する映像信号と音声信号とを抽出する地デジチューナ部１３０と、地デジチューナ部１３０からの映像信号等により、アナログテレビ放送におけるＶＨＦ帯のチャンネルに対応する搬送波を変調し、アナログテレビ放送信号を生成する変調回路１４０とを有している。尚、変調回路１４０にて生成されたアナログテレビ放送信号は、ダイプレクサ１２０を経由してコネクタ１１０から出力される。
【００２７】
（３）地デジ用アンテナの構成について
次に、地デジ用アンテナ２００の構成について説明する。図２の（ａ）には、地デジ用アンテナ２００の構成を示すブロック図が記載されている。地デジ用アンテナ２００は、車両のウインドウに貼り付けられた透明フィルム２１０と、透明フィルム２１０に覆われているアンテナ素子２２１及び２２２と、アンテナ素子２２１及び２２２の給電点となる給電部２３０を有している。尚、地デジ用アンテナ２００と同軸ケーブル３００とは、ＵＨＦ帯の電波の受信に適するようにインピーダンス整合がされている。
【００２８】
また、図２の（ｂ）には、給電部２３０の構成を示すブロック図が記載されている。給電部２３０は、同軸ケーブル３００の芯線３１０とアンテナ素子２２１とを接続する芯線側給電端子２３１と、同軸ケーブル３００の外部導体３２０とアンテナ素子２２２とを接続する外部導体側給電端子２３２とを有している。
【００２９】
また、図３の（ａ）には、芯線側給電端子２３１の構成を示すブロック図が記載されている。芯線側給電端子２３１は、アンテナ素子２２１からの受信信号（地デジ放送信号）を増幅して地デジ放送受信装置１００に対して出力すると共に、地デジ放送受信装置１００からの送信信号（アナログテレビ放送信号）を増幅してアンテナ素子２２１に対して出
力する。
【００３０】
芯線側給電端子２３１は、アンテナ素子２２１との接点２３１ａと、接点２３１ａからの受信信号と、増幅回路２３１ｅにて増幅された送信信号とが入力され、ＶＨＦ帯の上限周波数を低域側のカットオフ周波数とすると共に、ＵＨＦ帯の下限周波数を高域側のカットオフ周波数とするダイプレクサ２３１ｂと、ダイプレクサ２３１ｂを通過した高域側の受信信号を増幅する増幅回路２３１ｃとを有している。
【００３１】
また、芯線側給電端子２３１は、同軸ケーブル３００の芯線３１０との接点２３１ｇと、接点２３１ｇから入力される送信信号から、ＵＨＦ帯よりも高周波の信号をカットするＬＰＦ２３１ｆ（Low Pass Filter）と、増幅回路２３１ｃからの受信信号と、ＬＰＦ２３１ｆからの送信信号とが入力され、ＶＨＦ帯の上限周波数を低域側のカットオフ周波数とすると共に、ＵＨＦ帯の下限周波数を高域側のカットオフ周波数とするダイプレクサ２３１ｄと、ダイプレクサ２３１ｄを通過した低域側の送信信号を増幅する増幅回路２３１ｅとを有している。
【００３２】
［動作］
次に、本実施形態の変換システム１０の動作について説明する。変換システム１０では、地デジ用アンテナ２００にてＵＨＦ帯の電波（地デジ放送信号）が受信される。この地デジ放送信号は、芯線側給電端子２３１において、接点２３１ａ，ダイプレクサ２３１ｂを通過して増幅回路２３１ｃに入力される。そして、この増幅回路２３１ｃにて増幅された後に、ダイプレクサ２３１ｄ，ＬＰＦ２３１ｆ，接点２３１ｇを経由して地デジ放送受信装置１００に出力される。
【００３３】
また、地デジ放送受信装置１００では、地デジ用アンテナ２００から受信した地デジ放送信号から、ユーザに指定されたチャンネルに対応する映像信号と音声信号とが抽出され、これらの信号は、例えば１チャンネルに対応するアナログテレビ放送信号に変換され、コネクタ１１０から出力される。尚、地デジ放送受信装置１００から送信されるアナログテレビ放送信号はＶＨＦ帯であれば良く、２〜１２チャンネルのいずれかに対応していても良い。
【００３４】
また、地デジ放送受信装置１００から出力されたＶＨＦ帯のアナログテレビ放送信号は、芯線側給電端子２３１において、接点２３１ｇ，ＬＰＦ２３１ｆ，ダイプレクサ２３１ｄを通過して増幅回路２３１ｅに入力される。そして、この増幅回路２３１ｅにて増幅された後に、ダイプレクサ２３１ｂ，接点２３１ａを経てアンテナ素子２２１に出力される。
【００３５】
そして、アンテナ素子２２１から、地デジ放送受信装置１００にて生成された、地デジ放送を視聴するためのＶＨＦ帯のアナログテレビ放送信号が送信され、アナログ放送用アンテナ５００を介してオーディオ４００にて受信される。
【００３６】
［効果］
本実施形態における変換システム１０を構成する地デジ用アンテナ２００を、アナログ放送用アンテナ５００の付近に設置することにより、アナログ放送用アンテナ５００に接続されているオーディオ４００にて地デジ放送を視聴することが可能となる。また、この変換システム１０では、デジタル放送の電波の受信と、変換されたアナログテレビ放送信号の送信とが同じアンテナを用いて行なわれている。このため、部品点数の増加を抑えつつ、デジタルテレビ放送の番組の映像信号等をアナログテレビ放送の放送信号に変換してオーディオ４００に送信することができる。
【００３７】
尚、変換システム１０では、地デジ用アンテナ２００は、地デジ放送の電波の受信に適するようにインピーダンス整合がされており、アナログテレビ放送の電波を放射する際には損失が生じてしまう。しかしながら、この地デジ用アンテナ２００がアナログ放送用アンテナ５００の付近に配置されることにより、オーディオ４００に対して十分な強度のアナログテレビ放送信号の送信が可能となる。また、地デジ用アンテナ２００を介してアナログテレビ放送の電波を放射する際には、同軸ケーブル３００との接点付近で反射が生じるが、この反射により、アナログテレビ放送に適したインピーダンス整合がされているアンテナを用いる場合に比べ、地デジ用アンテナ２００の付近に存在する導体に対し、より強力な電磁誘導を発生させることができると考えられる。これにより、地デジ用アンテナ２００をアナログ放送用アンテナ５００の付近に配置した場合には、この電磁誘導により、アナログテレビ放送信号の伝達が助長されると考えられる。
【００３８】
また、テレビ放送の受信用アンテナには、受信感度を向上させるために指向性が設けられている場合がある。このようなアンテナが用いられる場合には、テレビ放送電波の受信状態と、地デジ用アンテナ２００からアナログ放送用アンテナ５００への送信状態との両方が良好となるよう、各アンテナの指向性を考慮してこれらのアンテナの向きや位置関係を定める必要がある。つまり、指向性を有するアンテナが、地デジ用アンテナ２００やアナログ放送用アンテナ５００として用いられている場合には、これらのアンテナの配置態様が制限されてしまうのである。これに対し、変換システム１０によれば、単に、アナログ放送用アンテナ５００に近接した状態で地デジ用アンテナ２００を配置することにより、変換システム１０からオーディオ４００に対しての送信状態を良好なものにすることができ、アンテナの配置に関しての自由度を増加させることができるのである。
【００３９】
また、地デジ用アンテナ２００における給電部２３０の芯線側給電端子２３１では、アンテナ素子からの受信信号のうち、地デジ放送に対応する周波数帯域であるＵＨＦ帯の信号が増幅される。このため、地デジ放送受信装置１００における地デジ放送の受信状態を良好なものとすることができる。
【００４０】
また、給電部２３０の芯線側給電端子２３１では、地デジ放送受信装置１００からの送信信号のうち、ＶＨＦ帯の信号が増幅される。こうすることにより、地デジ放送受信装置１００にてアナログテレビ放送信号を増幅して送信する場合に比べ、アナログテレビ放送信号が同軸ケーブル３００を伝達する際に生じる電磁誘導を抑制することができる。したがって、同軸ケーブル３００の付近に配置されている装置におけるノイズの発生を抑えることが可能となる。
【００４１】
［他の実施形態］
（１）本実施形態では、地デジ用アンテナ２００における芯線側給電端子２３１のダイプレクサ２３１ｄを通過したＶＨＦ帯の送信信号は、増幅回路２３１ｅにて増幅された後にアンテナ素子２２１から送信される。しかし、図３の（ｂ）に記載されているように、ダイプレクサ２３１ｄを通過したＶＨＦ帯の送信信号は、直接、ダイプレクサ２３１ｂに入力されても良い。このような構成を有する場合であっても、地デジ放送受信装置１００からオーディオ４００に対して、地デジ放送を視聴するためのアナログテレビ放送信号を送信することができる。
【００４２】
（２）また、本実施形態では、地デジ用アンテナ２００やアナログ放送用アンテナ５００は、フィルムアンテナとして構成されている。しかし、これらのアンテナは、フィルムアンテナ以外の態様のアンテナであっても良い。このような構成を有する場合であっても、同様の効果を得ることができる。
【００４３】
（３）また、地デジ放送受信装置１００は、ＵＨＦ帯の電波を介して、図示しないリモ
コンからの信号を受信しても良い。尚、ＵＨＦ帯の電波とは、例えば、地デジ放送で使用されている帯域と重複しない４６９ＭＨｚの電波であっても良い。
【００４４】
具体的に説明すると、本実施形態の地デジ放送受信装置１００は、図４に記載されているように、さらに、ダイプレクサ１２０を通過した高域側の受信信号が入力される分岐回路１５０と、分岐回路１５０にて分岐された一方の受信信号のうち、リモコンに対応する周波数の受信信号を抽出するリモコン受信部１６０と、リモコン受信部１６０にて抽出されたリモコンからの受信信号に応じて、地デジチューナ部１３０や変調回路１４０に対して指示を行う制御部１７０とを有している。
【００４５】
尚、分岐回路１５０にて分岐された他方の受信信号は、地デジチューナ部１３０に入力され、この受信信号に基づき地デジ放送を視聴するためのアナログテレビ放送信号が生成され、出力される。
【００４６】
一般的に、赤外線を介してリモコンから信号が送信されるが、このような場合には、ボンネット上等、ユーザから見える場所に受光部を配置する必要がある。これに対し、電波を介してリモコンからの信号を受信する場合には、受光部が不要となる。
【００４７】
また、ＵＨＦ帯以外の電波を利用する場合には、リモコンからの信号の受信のため、別途アンテナを設ける必要が生じる。ここで、地デジ放送受信装置１００は、例えば、車両のシートの下等に配置されることが想定されるが、例えば、地デジ放送受信装置１００の筐体の内部等にアンテナを設けた場合には、受信が困難となってしまう。しかし、ＵＨＦ帯の電波を利用することにより、例えば、車両のウインドウに貼り付けた状態で配置されている地デジ用アンテナ２００を用いて、リモコンからの信号を効率良く受信することが可能となる。
【００４８】
［特許請求の範囲との対応］
上記実施形態の説明で用いた用語と、特許請求の範囲の記載に用いた用語との対応を示す。
【００４９】
地デジ放送受信装置１００が変換装置に、地デジ用アンテナ２００がアンテナ部に、オーディオ４００が受信装置にそれぞれ相当する。
また、地デジチューナ部１３０が抽出手段に、変調回路１４０が変換手段に、増幅回路２３１ｃが第一の増幅手段に、増幅回路２３１ｅが第二の増幅手段にそれぞれ相当する。
【符号の説明】
【００５０】
１０…変換システム、１００…地デジ放送受信装置、１１０…コネクタ、１２０…ダイプレクサ、１３０…地デジチューナ部、１４０…変調回路、１５０…分岐回路、１６０…リモコン受信部、１７０…制御部、２００…地デジ用アンテナ、２１０…透明フィルム、２２１…アンテナ素子、２２２…アンテナ素子、２３０…給電部、２３１…芯線側給電端子、２３１ａ…接点、２３１ｂ…ダイプレクサ、２３１ｃ…増幅回路、２３１ｄ…ダイプレクサ、２３１ｅ…増幅回路、２３１ｆ…ＬＰＦ、２３１ｇ…接点、２３２…外部導体側給電端子、３００…同軸ケーブル、３１０…芯線、３２０…外部導体、４００…オーディオ、５００…アナログ放送用アンテナ。
【図１】
2010239536.tif 000003
【図２】
2010239536.tif 000004
【図３】
2010239536.tif 000005
【図４】
2010239536.tif 000006